(57)【特許請求の範囲】
【請求項１】
底板を有し、上面が開口した金属製のハウジングと、
前記ハウジングの開口に取り付けられた原稿台ガラスと、
光源が搭載され、前記底板と前記原稿台ガラスとの間において所定の走査方向に沿って往復移動しつつ、前記原稿台ガラスに向けて光を発する走査ユニットと、
前記走査ユニットに固定される第１端部と、前記底板に固定される第２端部と、前記底板上に接面すると共に前記走査ユニットの往復移動に応じて湾曲変形する中間部とを有する被覆電線と、
前記底板と前記被覆電線の中間部との間に介在される絶縁シートと、を備え、
前記ハウジングは、前記底板に形成され、上方に開口して前記走査方向に延びる凹部を備え、
前記絶縁シートは、前記凹部の開口を覆うものであって、前記絶縁シートの上面は前記被覆電線の中間部と接し、前記絶縁シートの下面と前記凹部の底面との間には空間が備えられている、光学読取装置。
【請求項２】
請求項１に記載の光学読取装置において、
前記被覆電線はフラットケーブルであり、該フラットケーブルの扁平面と前記絶縁シートとが接するものであり、
前記凹部の開口は、前記フラットケーブルの前記扁平面幅よりも広幅である、光学読取装置。
【請求項３】
請求項１又は２に記載の光学読取装置において、
前記絶縁シートの下面と前記凹部の底面との間の距離は、１ｍｍ以上である、光学読取装置。
【請求項４】
請求項１に記載の光学読取装置において、
前記絶縁シートは、前記被覆電線をガイドするガイド部を備える、光学読取装置。
【請求項５】
原稿画像を光学的に読み取る請求項１に記載の光学読取装置と、
前記原稿画像に基づきシートに画像を形成する画像形成部と、を備える画像形成装置。
【発明の詳細な説明】
【技術分野】
【０００１】
本発明は、原稿画像を光学的に読み取る光学読取装置、及び前記原稿画像に基づきシートに画像を形成する画像形成装置に関する。
【背景技術】
【０００２】
原稿画像の複写画像をシートに形成する画像形成装置にあっては、前記原稿画像を光学的に読み取る光学読取装置が備えられる。光学読取装置は、原稿台ガラス上に載置された原稿に光学読取のための光を照射する光源が搭載される走査ユニットと、この走査ユニットに一端が接続された絶縁被覆電線（フラットケーブル）と、これらを収容するハウジングとを含む。走査ユニットは、ハウジング内において所定の走査方向に沿って往復移動しつつ、前記原稿台ガラスに向けて光を発する。フラットケーブルは、走査ユニットの往復移動に応じてその中間部が湾曲変形する。
【０００３】
上記ハウジングは、通常は板金のフレーム構造体からなる。フラットケーブルの中間部はハウジングの底板上に接面するが、一般にフラットケーブルの絶縁被覆は薄く、フラットケーブルの導体と板金製の底板との間に電気的な結合（静電結合や電磁結合）が形成される場合がある。この場合、走査ユニットの往復移動によってフラットケーブルの前記底板への接面状態が変化すると、前記電気的結合の状態が不安定なものとなる。このことは、光学読取装置乃至は画像形成装置の動作に影響を与える、電磁的なノイズの発生要因となる。この問題を解決するため、例えば特許文献１には、フラットケーブルの前記底板へ接触する領域に絶縁部材を敷設する技術が開示されている。
【先行技術文献】
【特許文献】
【０００４】
【特許文献１】特開２００３−３１５９２９号公報
【発明の概要】
【発明が解決しようとする課題】
【０００５】
しかしながら、従来の技術では、ハウジングの底板とフラットケーブルとの間に絶縁部材を介在させ、その絶縁部材の厚みで電気的な結合を抑止している。従って、絶縁部材として相当の厚さの部材を用いるか、絶縁部材に形状的な工夫を施す必要があり、コストアップの要因となっていた。
【０００６】
本発明は上記の事情に鑑みで為されたものであり、ハウジングの底板と被覆電線との不安定な電気的結合をシンプルに抑止できる光学読取装置及び画像形成装置を提供することを目的とする。
【課題を解決するための手段】
【０００７】
本発明の一局面に係る光学読取装置は、底板を有し、上面が開口した金属製のハウジングと、前記ハウジングの開口に取り付けられた原稿台ガラスと、光源が搭載され、前記底板と前記原稿台ガラスとの間において所定の走査方向に沿って往復移動しつつ、前記原稿台ガラスに向けて光を発する走査ユニットと、前記走査ユニットに固定される第１端部と、前記底板に固定される第２端部と、前記底板上に接面すると共に前記走査ユニットの往復移動に応じて湾曲変形する中間部とを有する被覆電線と、前記底板と前記被覆電線の中間部との間に介在される絶縁シートと、を備え、前記ハウジングは、前記底板に形成され、上方に開口して前記走査方向に延びる凹部を備え、前記絶縁シートは、前記凹部の開口を覆うものであって、前記絶縁シートの上面は前記被覆電線の中間部と接し、前記絶縁シートの下面と前記凹部の底面との間には空間が備えられている（請求項１）。
【０００８】
この構成によれば、被覆電線の中間部は絶縁シートの上面と接する一方で、絶縁シートの下面と前記凹部の底面との間には空間が備えられている。このため、被覆電線と金属製のハウジングの底面との間には、絶縁シート分の厚さに加えて、前記空間分の絶縁距離が提供される。従って、被覆電線とハウジングとの不安定な電気的結合を抑止できる。その一方で、絶縁シートとしては、ハウジングの底板に形成された凹部の開口を単純に覆うシート形状のもので足り、コストアップを招来しない。
【０００９】
上記構成において、前記被覆電線はフラットケーブルであり、該フラットケーブルの扁平面と前記絶縁シートとが接するものであり、前記凹部の開口は、前記フラットケーブルの前記扁平面幅よりも広幅であることが望ましい（請求項２）。
【００１０】
通常、フラットケーブルの絶縁被覆は薄い。このため、フラットケーブルとハウジングの底板との間で電気的な結合が発生し易く、フラットケーブルの移動により、その電気的な結合状態（アンテナ長や結合エネルギー等）が変動し易い。従って、本発明を適用することによる利点は大きい。
【００１１】
上記構成において、前記絶縁シートの下面と前記凹部の底面との間の距離は、１ｍｍ以上であることが望ましい（請求項３）。
【００１２】
この構成によれば、被覆電線（フラットケーブル）とハウジングとの間に十分な絶縁距離を確保できるので、被覆電線とハウジングとの不安定な電気的結合を十分に抑止することができる。
【００１３】
上記構成において、前記絶縁シートは、前記被覆電線をガイドするガイド部を備えることが望ましい（請求項４）。
【００１４】
この構成によれば、走査ユニットの往復移動に応じて湾曲変形する被覆電線の中間部の挙動を、絶縁シートに備えられたガイド部によって安定化させることができる。
【００１５】
本発明の他の局面に係る画像形成装置は、原稿画像を光学的に読み取る上記の光学読取装置と、前記原稿画像に基づきシートに画像を形成する画像形成部と、を備える（請求項５）。
【発明の効果】
【００１６】
本発明によれば、ハウジングの底板と被覆電線との不安定な電気的結合を、底板へ形成される凹部及びその開口を覆う絶縁シートによって、シンプルな構成にて抑止できる。従って、コストアップや構成の複雑化を伴うことなく、光学読取装置に備えられている被覆電線の移動に起因するノイズの影響を抑止することができる。
【図面の簡単な説明】
【００１７】
【図１】本発明の一実施形態に係る画像形成装置の内部構造を示す断面図である。
【図２】読取ユニット（光学読取装置）の外観を示す斜視図である。
【図３】図２のＡ部拡大図である。
【図４】走査ユニット及びフラットケーブルの側面図である。
【図５】図３のＶ−Ｖ線断面図である。
【図６】絶縁シートの変形例を示す断面図である。
【図７】絶縁シートの他の変形例を示す断面図である。
【発明を実施するための形態】
【００１８】
以下、図面に基づいて、本発明の実施形態につき詳細に説明する。図１は、本発明の一実施形態に係る画像形成装置１の内部構造を示す断面図である。ここでは、画像形成装置１として複写機を例示するが、画像形成装置は、プリンター、ファクシミリ装置、或いは、これらの機能を備える複合機であってもよい。
【００１９】
画像形成装置１は、略直方体形状の筐体構造を有する装置本体１０と、装置本体１０上に配置される自動原稿給送装置２０とを備える。装置本体１０の内部には、複写する原稿画像を光学的に読み取る読取ユニット２５（光学読取装置）と、シートに画像形成処理を行う画像形成部３０と、画像形成部３０へ搬送されるシートを貯留する給紙部４０と、シートを給紙部４０から画像形成部３０を経由してシート排出口１０Ｅまで搬送する搬送経路５０とが収容されている。
【００２０】
自動原稿給送装置２０は、装置本体１０の上面に回動自在に取り付けられている。自動原稿給送装置２０は、装置本体１０における所定の原稿読取位置（第１コンタクトガラス２４１が組み付けられた位置）に向けて、複写される原稿シートを自動給送する。一方、ユーザーが手置きで原稿シートを所定の原稿読取位置（第２コンタクトガラス２４２の配置位置）に載置する場合は、自動原稿給送装置２０は上方に開けられる。自動原稿給送装置２０は、原稿シートが載置される原稿トレイ２１と、自動原稿読取位置を経由して原稿シートを搬送する原稿搬送部２２と、読取後の原稿シートが排出される原稿排出トレイ２３とを含む。
【００２１】
読取ユニット２５は、装置本体１０の上面の自動原稿給送装置２０から自動給送される原稿シートの読取用の第１コンタクトガラス２４１、又は手置きされる原稿シートの読取用の第２コンタクトガラス２４２（原稿台ガラス）を通して、原稿シートの画像を光学的に読み取る。読取ユニット２５内には、左右方向に往復移動する走査ユニット６１、該走査ユニット６１の１／２の移動量で左右方向に往復移動するミラーユニット６２、原稿シート画像のアナログ画像データを出力する光電変換モジュール６３、及び走査ユニット６１に電力を供給するフラットケーブル６４（被覆電線）含む。
【００２２】
走査ユニット６１は、第１移動フレーム６１０と、この第１移動フレーム６１０に搭載された複数のＬＥＤ（Light Emitting Diode）光源６１１及び第１ミラー６１２とを含む。第１移動フレーム６１０は、読取ユニット２５内に備えられたガイドレール及び移動機構（図略）によって左右方向に移動する。ＬＥＤ光源６１１は、第１コンタクトガラス２４１上を通過する自動給送の原稿シート若しくは第２コンタクトガラス２４２上に載置される手置きの原稿シートに向けて、原稿シート画像の光学的な読み取りのために光を発する。第１ミラー６１２は、ＬＥＤ光源６１１が原稿シートに向けて発した光の反射光Ｌを、ミラーユニット６２へ向わせるように反射する。
【００２３】
ミラーユニット６２は、第２移動フレーム６２０と、この第２移動フレーム６２０に搭載された第２ミラー６２１及び第３ミラー６２２とを含む。第２移動フレーム６２０は、読取ユニット２５内に備えられたガイドレール及び移動機構（図略）によって、第１移動フレーム６１０に追従して左右方向に移動する。第２ミラー６２１は第１ミラー６１２と略同じ高さに、第３ミラー６２２は第２ミラー６２１の下方に、それぞれ位置するように第２移動フレーム６２０に取り付けられている。第２ミラー６２１は、第１ミラー６１２が反射した前記反射光Ｌを、第３ミラー６２２に向けて反射する。第３ミラー６２２は、前記反射光Ｌを光電変換モジュール６３に向けて反射する。
【００２４】
光電変換モジュール６３は、前記反射光Ｌを光電変換して原稿シート画像のアナログ画像データを生成するもので、レンズユニット６３１と撮像素子６３２とを含む。レンズユニット６３１は、第３ミラー６２２において反射された反射光Ｌを、撮像素子６３２の撮像面に結像させる。撮像素子６３２は、ＣＣＤ（charge coupled device）等からなり、反射光Ｌをアナログ電気信号に光電変換する。このアナログ電気信号は、Ａ／Ｄ変換回路（図略）によってデジタル電気信号に変換され、後述する露光器３２３に与えられる。
【００２５】
フラットケーブル６４は、横一列に配列された複数本の金属導体と、これら導体を覆う共通の絶縁被覆層とからなり、上下の扁平面とその両端の端縁部とを備える。フラットケーブル６４の一端（第１端部）は走査ユニット６１に固定され、他端（第２端部）は読取ユニット２５のハウジング６００の底板６０５側（図２）に固定される。また、フラットケーブル６４の中間部は、側面視でＵ字状に湾曲している。このフラットケーブル６４に関する構成については、後記で詳述する。
【００２６】
第１移動フレーム６１０（走査ユニット６１）は、原稿シートが自動原稿給送装置２０から自動給送される自動給送モードのとき、第１コンタクトガラス２４１の直下に移動し、静止状態となる。また、第２移動フレーム６２０（ミラーユニット６２）は、読取ユニット２５内の最も左方に移動し、静止状態となる。かかる状態で、ＬＥＤ光源６１１から原稿シートに向けて光が発せられる。
【００２７】
一方、原稿シートが第２コンタクトガラス２４２上に載置される手置きモードのとき、第１移動フレーム６１０は、第２コンタクトガラス２４２の左端直下から原稿シートのサイズに応じて右方（走査方向）へ移動する。この移動の際に、ＬＥＤ光源６１１から原稿シートに向けて光が発せられる。第２移動フレーム６２０は、第１移動フレーム６１０の１／２の移動量で、第１移動フレーム６１０に追従して右方に移動する。なお、図１では、この手置きモードについて、走査ユニット６１及びミラーユニット６２が最も右方に移動している状態を示している。この際、フラットケーブル６４は、走査ユニット６１の移動に応じて湾曲変形箇所を変えながら、走査ユニット６１に追従して移動する。
【００２８】
続いて、画像形成部３０は、トナー画像を生成しこれをシート上に転写する作像装置３１と、前記トナー像をシートに定着させる定着装置３６とを含む。作像装置３１は、フルカラーのトナー像を形成するために、イエロー（Ｙ）、マゼンタ（Ｍ）、シアン（Ｃ）及びブラック（Ｂｋ）の各トナー像を形成する４つのユニット３２Ｙ、３２Ｍ、３２Ｃ、３２Ｂｋを含む画像形成ユニット３２と、該画像形成ユニット３２の上に隣接して配置された中間転写ユニット３３と、中間転写ユニット３３上に配置されたトナー補給部３４とを含む。
【００２９】
各画像形成ユニット３２Ｙ、３２Ｍ、３２Ｃ、３２Ｂｋは、感光体ドラム３２１と、この感光体ドラム３２１の周囲に配置された、帯電器３２２、露光器３２３、現像装置３２４、一次転写ローラー３２５及びクリーニング装置３２６とを含む。
【００３０】
感光体ドラム３２１は、その軸回りに回転し、その周面に静電潜像及びトナー像が形成される。感光体ドラム３２１としては、アモルファスシリコン（ａ−Ｓｉ）系材料を用いた感光体ドラムを用いることができる。帯電器３２２は、感光体ドラム３２１の表面を均一に帯電する。露光器３２３は、レーザー光源とミラーやレンズ等の光学系機器とを有し、感光体ドラム３２１の周面に、光電変換モジュール６３から与えられる原稿シート画像のデジタル画像データに基づいて変調された光を照射して、静電潜像を形成する。
【００３１】
現像装置３２４は、感光体ドラム３２１上に形成された静電潜像を現像するために、感光体ドラム３２１の周面にトナーを供給する。現像装置３２４は、２成分現像剤用のものであり、攪拌ローラー、磁気ローラー、及び現像ローラーを含む。攪拌ローラーは、２成分現像剤を攪拌しながら循環搬送することで、トナーを帯電させる。磁気ローラーの周面には２成分現像剤層が担持され、現像ローラーの周面には、磁気ローラーと現像ローラーとの間の電位差によってトナーが受け渡されることにより形成されたトナー層が担持される。現像ローラー上のトナーは、感光体ドラム３２１の周面に供給され、前記静電潜像が現像される。
【００３２】
一次転写ローラー３２５は、中間転写ユニット３３に備えられている中間転写ベルト３３１を挟んで感光体ドラム３２１とニップ部を形成し、感光体ドラム３２１上のトナー像を中間転写ベルト３３１上に一次転写する。クリーニング装置３２６は、クリーニングローラー等を有し、トナー像転写後の感光体ドラム３２１の周面を清掃する。
【００３３】
中間転写ユニット３３は、中間転写ベルト３３１、駆動ローラー３３２、従動ローラー３３３及びテンションローラー３３４を備える。中間転写ベルト３３１は、これらローラー３３２、３３３、３３４に架け渡された無端ベルトであって、該中間転写ベルト３３１の外周面には、複数の感光体ドラム３２１からトナー像が重ね塗りされる（一次転写）。駆動ローラー３３２は中間転写ベルト３３１を周回させるための駆動力が付与されるローラーであり、その周面に対向して二次転写ローラー３５が配置されている。駆動ローラー３３２と二次転写ローラー３５とのニップ部は、中間転写ベルト３３１に重ね塗りされたフルカラーのトナー像をシートに転写する二次転写部３５Ａとなる。なお、従動ローラー３３３は、中間転写ベルト３３１の周回に応じて従動するローラー、テンションローラー３３４は中間転写ベルト３３１に所定の張力を付与するローラーである。
【００３４】
トナー補給部３４は、イエロー用トナーコンテナ３４Ｙ、マゼンタ用トナーコンテナ３４Ｍ、シアン用トナーコンテナ３４Ｃ、及びブラック用トナーコンテナ３４Ｂｋを含む。これらトナーコンテナ３４Ｙ、３４Ｃ、３４Ｍ、３４Ｂｋは、それぞれ各色のトナーを貯留するものであり、ＹＭＣＢｋ各色に対応する画像形成ユニット３２Ｙ、３２Ｍ、３２Ｃ、３２Ｂｋの現像装置３２４に、図略の供給経路を通して各色のトナーを供給する。
【００３５】
定着装置３６は、二次転写されたトナー像をシート上に定着する定着処理を行う。定着装置３６は、加熱ローラー３７と、加熱ローラー３７に平行に対向配置された加圧ローラー３８と、加熱ローラー３７および加圧ローラー３８を収容する本体ハウジング３９とを含む。加熱ローラー３７は、通電発熱体を内部に有する。加圧ローラー３８は、加熱ローラー３７に対して圧接され、加熱ローラー３７との間に定着ニップ部Ｎを形成する。二次転写されたシートが定着ニップ部Ｎに通紙されると、トナー像は、加熱ローラー３７による加熱および加圧ローラー３８による押圧により、シート上に定着される。
【００３６】
給紙部４０は、画像形成処理が施されるシートを収容する２段の給紙カセット４０Ａ、４０Ｂを備える。これら給紙カセット４０Ａ、４０Ｂは、装置本体１０の前方から手前方向に引出可能である。給紙カセット４０Ａ、４０Ｂは、自動給紙用に設けられたカセットであるが、装置本体１０の右側面には、手差し給紙用の給紙トレイ４６も設けられている。給紙トレイ４６は、その下端部において装置本体１０に対して開閉自在に取り付けられている。ユーザーは、手差し給紙を行う場合、図示の通り給紙トレイ４６を開き、その上にシートを載置する。
【００３７】
給紙カセット４０Ａ（４０Ｂ）は、複数のシートが積層されてなるシート束を収納するシート収容部４１と、前記シート束を給紙のためにリフトアップするリフト板４２とを備える。給紙カセット４０Ａ（４０Ｂ）の右端側の上部には、ピックアップローラー４３と、給紙ローラー４４とリタードローラー４５とのローラー対とが配置されている。ピックアップローラー４３及び給紙ローラー４４の駆動により、給紙カセット４０Ａ内のシート束の最上層のシートが１枚ずつ繰り出され、搬送経路５０の上流端へ搬入される。一方、給紙トレイ４６に載置されたシートは、同様にピックアップローラー４６１及び給紙ローラー４６２の駆動によって、搬送経路５０へ搬入される。
【００３８】
搬送経路５０は、給紙部４０から作像装置３１を経由して定着装置３６の出口までシートを搬送する主搬送路５０Ａと、シートに対して両面印刷を行う場合に片面印刷されたシートを作像装置３１に戻すための反転搬送路５０Ｂと、主搬送路５０Ａの下流端から反転搬送路５０Ｂの上流端へシートを向かわせるためのスイッチバック搬送路５０Ｃと、主搬送路５０Ａの下流端から装置本体１０の左側面に設けられたシート排出口１０Ｅまでシートを水平方向に搬送する水平搬送路５０Ｄとを含む。
【００３９】
主搬送路５０Ａの、二次転写部３５Ａよりも上流側には、レジストローラー対５１が配置されている。シートは、レジストローラー対５１にて一旦停止され、スキュー矯正が行われた後、画像転写のための所定のタイミングで、二次転写部３５Ａに送り出される。この他、主搬送路５０Ａには、シートを搬送するための搬送ローラー５２が複数配置されている。他の搬送路５０Ｂ、５０Ｃ、５０Ｄも同様である。
【００４０】
搬送経路５０の最下流端には、排紙ローラー５３が配置されている。排紙ローラー５３は、装置本体１０の左側面に配置される図略の後処理装置に、シート排出口１０Ｅを通してシートを送り込む。なお、後処理装置が取り付けられない画像形成装置では、シート排出口１０Ｅの下方にシート排出トレイが設けられる。
【００４１】
以上の通り構成された画像形成装置１において、本実施形態ではフラットケーブル６４のノイズ対策のために工夫された構成をさらに備える。以下、この点について、図２〜図５を参照して説明する。図２は、読取ユニット２５の外観を示す斜視図、図３は図２のＡ部拡大図、図４は走査ユニット６１及びフラットケーブル６４の側面図、図５は図３のＶ−Ｖ線断面図をそれぞれ示している。
【００４２】
読取ユニット２５は、金属製のハウジング６００を含む。ハウジング６００は板金フレーム部材の組立体からなり、左右方向に長い長四角の枠体を形成する前側板６０１、後側板６０２、右側板６０３及び左側板６０４と、この枠体の底面側に組み付けられた平板状の底板６０５と、前記枠体の上面側に組み付けられた天板６００Ｔとで構成されている。天板６００Ｔは、第２コンタクトガラス２４２（原稿台ガラス）が嵌め込まれる開口部６００Ｈが形成された枠フレームからなる。ハウジング６００は、この開口部６００Ｈを通して上方に開口している。
【００４３】
このハウジング６００内に、上述の走査ユニット６１、ミラーユニット６２、光電変換モジュール６３及びフラットケーブル６４が収容されている。前側板６０１及び後側板６０２の内側には一対のガイドレール（図略）が備えられている。走査ユニット６１の第１移動フレーム６１０及びミラーユニット６２の第２移動フレーム６２０は、前記一対ガイドレール間に架け渡され、左右方向（走査方向）に往復移動する。
【００４４】
フラットケーブル６４は、その一端が第１移動フレーム６１０の後端側近傍に固定され、他端側が後側板６０２と平行に右方に延在している。フラットケーブル６４の他端は、底板６０５の表面に取り付けられた回路基板６６に接続されている。フラットケーブル６４の下側扁平面は、底板６０５上に接面することになるが、前記フラットケーブル６４の下側扁平面と底板６０５との間には絶縁シート６５が介在されている。
【００４５】
図４及び図５を参照して、上記構成について詳しく説明する。フラットケーブル６４の第１端部６４１（上記の一端）には第１コネクタ６４Ｃ１が取り付けられ、該第１コネクタ６４Ｃ１は第１移動フレーム６１０の下面に備えられている相手方のコネクタに接続されている。フラットケーブル６４の第２端部６４２（上記の他端）には第２コネクタ６４Ｃ２が取り付けられ、該第２コネクタ６４Ｃ２は回路基板６６に備えられている相手方のコネクタに接続されている。
【００４６】
フラットケーブル６４の中間部６４３は、走査ユニット６１の往復移動に応じて湾曲変形する部分である。図４では、その湾曲変形部を符号Ｒで示している。中間部６４３における、湾曲変形部Ｒよりも第２端部６４２寄りの部分は、底板６０５に接面する部分となる。なお、図４における走査ユニット６１の位置は、上述の自動給送モードにおける静止位置を示しており、最も中間部６４３の接面長さ（接面面積）が大きい位置である。
【００４７】
絶縁シート６５は、ＰＥＴフイルム等からなる樹脂製の帯状シートであり、その幅はフラットケーブル６４の扁平面の幅の３〜４倍程度である。この絶縁シート６５は、その幅方向両端部６５Ｅ、６５Ｅの下面に接着層（図略）を有し、底板６０５に形成されている凹部６０６の上部開口を覆うように、底板６０５に貼付されている。
【００４８】
凹部６０６は、絞り加工等によって形成され、後側板６０２と平行に左右方向に延びる浅い溝であり、平坦な底面部６０７と、底面部６０７の前後端部から上方に傾斜して延びる一対の傾斜部６０８とを含む（図５）。凹部６０６の前後方向の開口幅Ｗ２は、フラットケーブル６４の扁平面幅Ｗ１よりも長く、絶縁シート６５の前後方向の幅よりも短い。このため、凹部６０６の開口は完全に絶縁シート６５で覆われ、絶縁シート６５の下面と底面部６０７との間には空間Ｇが形成されている。
【００４９】
フラットケーブル６４の中間部６４３の下面は、絶縁シート６５上面の前後方向の中央部付近の部分と接している。このため、フラットケーブル６４は、金属製の底板６０５から絶縁シート６５の厚さ分に加えて、上記空間Ｇの分だけ離間した状態で、底板６０５と対向している。従って、絶縁シート６５として薄い汎用の絶縁フイルム等を用いた場合でも、フラットケーブル６４を金属製の底板６０５から十分に離間させることができる。これにより、フラットケーブル６４と底板６０５（ハウジング６００）との電気的結合、つまりフラットケーブル６４への通電に伴って放射される電磁波がハウジング６００で受電されることを抑止することができる。
【００５０】
このことは、フラットケーブル６４が輻射する電磁ノイズがハウジング６００を通して装置本体１０の側に侵入することを防止できることに繋がる。また、装置本体１０より輻射する放射ノイズのレベルを低減することに繋がる。特にフラットケーブル６４の絶縁被覆は薄く、底板６０５との間で電気的な結合が発生し易いが、本実施形態のノイズ対策を施すことで、不安定な電気的結合の発生を防止できる。その一方で、絶縁シート６５としては、凹部６０６の開口を単純に覆うシート形状のもので足り、ノイズ対策のために構造の複雑化やコストアップを招来しないという利点がある。
【００５１】
絶縁シート６５の下面と凹部６０６の底面部６０７との間の距離ｄ１、つまり空間Ｇの高さは、１ｍｍ以上、特に２ｍｍ以上であることが望ましい。また、フラットケーブル６４の側端縁と凹部６０６の開口エッジとの距離ｄ２も、１ｍｍ以上、特に２ｍｍ以上であることが望ましい。距離ｄ１、ｄ２がこの程度の距離を少なくとも有していれば、フラットケーブル６４と底板６０５との電気的結合を十分に抑止することができる。
【００５２】
以上、本発明の実施形態に係る画像形成装置１について説明したが、本発明はこれに限定されるものではなく、例えば次のような変形実施形態を取ることができる。
【００５３】
（１）上記実施形態では、被覆電線の例としてフラットケーブル６４を例示した。被覆電線は、扁平面を有するフラットケーブルでなくとも良く、例えば複数本の被覆素線を円柱状に束ねた束電線であっても良い。
【００５４】
（２）上記実施形態では、絶縁シート６５の下面と底面部６０７との間に、凹部６０６の深さに相当する空間Ｇを形成する例を示した。この空間Ｇに、必要に応じてスペーサを配置しても良い。このスペーサとしては、例えば、上記の距離ｄ１に相当する厚さを有する発泡スチロール製の板部材等を用いることができる。
【００５５】
（３）上記実施形態では、凹部として、平坦な底面部６０７と一対の傾斜部６０８とを備える凹部６０６を例示した。これに代えて、例えば底面部６０７を前後方向の断面で見て下方に湾曲する形状としたり、底面部６０７を二段絞り形状としたりして、フラットケーブル６４の真下の部分の深さがより深い凹部６０６としても良い。
【００５６】
（４）上記実施形態では、絶縁シート６５が平坦なシートである例を示した。これに代えて、絶縁シート６５に、フラットケーブル６４の端縁部をガイドするガイド機能を具備させても良い。図６、図７は、絶縁シートの変形例を示す断面図である。
【００５７】
図６に示す絶縁シート６５Ａは、その幅方向の両端部付近に凸条部６５１（ガイド部）を備えている。凸条部６５１は、絶縁シート６５Ａの一部を上方に小径で湾曲させる形態で形成されている。この凸条部６５１には、走査ユニット６１の往復移動に追従して移動する際に、フラットケーブル６４が走査方向と直交する方向に揺動した場合に、フラットケーブル６４の端縁部が当接する。
【００５８】
図７に示す絶縁シート６５Ｂは、その幅方向の両端部に、上方に折り曲げられた折り曲げ部６５２（ガイド部）を備えている。この折り曲げ部６５２に、フラットケーブル６４の端縁部が当接することで、フラットケーブル６４がガイドされるものである。ガイド部の形状はこれらに限られず、上方に突出する部分が形成されていれば良い。例えば、凹部６０６の近傍において底板６０５にリブを設け、このリブを跨ぐように絶縁シート６５を貼り付けることで、ガイド部を形成しても良い。
【００５９】
（５）上記実施形態では、光学読取装置として、画像形成装置１に組み込まれる読取ユニット２５を例示した。光学読取装置は、スタンドアローンで稼働するスキャナ装置等であっても良い。
【符号の説明】
【００６０】
１  画像形成装置
１０  装置本体
２０  自動原稿給送装置
２４２  コンタクトガラス（原稿台ガラス）
２５  読取ユニット（光学読取装置）
３０  画像形成部
６００  ハウジング
６０５  底板
６０６  凹部
６００Ｈ  開口部
６１  走査ユニット
６２  ミラーユニット
６３  光電変換モジュール
６４  フラットケーブル（被覆電線）
６４１  第１端部
６４２  第２端部
６４３  中間部
６５  絶縁シート
６５１  凸条部（ガイド部）
６５２  折り曲げ部（ガイド部）
Ｇ  空間
【図１】
0005352613.tif 000002
【図２】
0005352613.tif 000003
【図３】
0005352613.tif 000004
【図４】
0005352613.tif 000005
【図５】
0005352613.tif 000006
【図６】
0005352613.tif 000007
【図７】
0005352613.tif 000008